(57)【要約】【課題】  微生物の住み着き易く、埋没している炭等の多孔性物質へも微生物が侵入できる構造とし、短期間で微生物が付着し、かつ、製品内の多孔性物質にも付着し、微生物が安定した状態で固定される水浄化機能を有する製品を提供する。【解決手段】  それぞれ３〜３０ｍｍの粒径の飽和吸水状態の建築廃材の本質炭化物１６重量％と表乾状態の砕石４２重量％とエコセメント４２重量％とを配合して造粒機の回転ドラムに入れ、凝集剤を溶解濃度０・０１％になるように配合した水を少しづつ前記回転ドラムに入れて本体１を造粒する。本体１の表面に木綿短繊維２を付着させる。【選択図】図１
2006068697.tif 000002
【特許請求の範囲】
【請求項１】
多孔性物質を配合したモルタル製品又はコンクリート製品の表面に繊維を付着又は植設させたことを特徴とする水浄化機能を有する製品。
【請求項２】
ポーラスモルタル製品又はポーラスコンクリート製品の表面に繊維を付着又は植設させたことを特徴とする水浄化機能を有する製品。
【請求項３】
多孔性物質は炭化物であることを特徴とする請求項１記載の水浄化機能を有する製品。
【請求項４】
繊維は水浄化機能を有するものであることを特徴とする請求項１ないし請求項３のいずれかに記載の水浄化機能を有する製品。
【発明の詳細な説明】
【技術分野】
【０００１】
本発明は、水浄化を目的としたモルタル、コンクリート製品に関するものである。
【背景技術】
【０００２】
近年、河川、湖、池などの水浄化を目的として、モルタル、コンクリート製品が種々開発されており、多孔質である炭などが材料（骨材）として用いられている。
【０００３】
いずれも、水を浄化する微生物の住みやすい環境を提供しようとするものであるが、微生物付着の役目をする炭が結合剤であるモルタル又はコンクリート層に埋没又は、一部覆われてしまうため、微生物の付着量が充分でないことと、表面に微生物が住み着き、ゼリー状になって厚くなると、下の微生物が死に上部に生存している微生物があっても剥離してしまうため、流れのある場所での使用は微生物の付着状態が不安定であるという問題があった。
【特許文献１】特開平８−３２５０７６号公報
【発明の開示】
【発明が解決しようとする課題】
【０００４】
そこで本発明は、微生物の住み着き易く、埋没している炭等の多孔性物質へも微生物が侵入できる構造とし、短期間で微生物が付着し、かつ、製品内の多孔性物質にも付着し、微生物が安定した状態で固定される水浄化機能を有し、しかも本体表面のひび割れ防止や、曲げ強度を高め、結果として耐久性のある製品を提供しようとするものである。
【課題を解決するための手段】
【０００５】
本発明は、上記の課題を解決するためになされたもので、第１の発明は、多孔性物質を配合したモルタル製品又はコンクリート製品の表面に繊維を付着又は植設させたことを特徴とする水浄化機能を有する製品である。
【０００６】
第２の発明は、ポーラスモルタル製品又はポーラスコンクリート製品の表面に繊維を付着又は植設させたことを特徴とする水浄化機能を有する製品である。
【０００７】
第３の発明は、前記の第１の発明の多孔性物質として炭化物を用いたことを特徴とする水浄化機能を有する製品である。炭化物としては、木炭、竹炭、建築廃材の炭化物、その他下水汚泥、畜産廃棄物の炭化物などが用いることができる。
【０００８】
第４の発明は、第１ないし第３の発明において、表面に付着させる繊維は水浄化機能を有するものとしたことを特徴とする水浄化機能を有する製品である。水浄化機能を有する繊維としては、例えば炭素繊維、吸水率の高い木綿、保水性又は通気性のある合成繊維を用いることができる。
【０００９】
製品の形状としては、用途に応じてボール状、磐状、ブロック状に形成される。
【００１０】
製品への繊維の付着は、硬化前の湿潤状態にあるモルタル又はコンクリート製品へまぶして付着又は繊維を散布して付着させ押さえ等で押し付けることによって行われ、繊維の植設は繊維を湿潤状態にある製品に吹き付けることによって植設させる。
【発明の効果】
【００１１】
各発明の共通する効果は、製品の表面に繊維を付着又は植設させてあるため、その保水性により、微生物が住みやすい環境になり、しかも付着又は植設させた短繊維を介して微生物は、製品内の多孔性物質へ侵入し易くなるため、微生物の安定した繁殖を強化する効果があり、従って、従来の製品よりも水浄化機能の優れた製品が得られる。
【００１２】
また、繊維はモルタル製品又はコンクリート製品表面のひび割れ防止や、曲げ強度を高める効果もあり、結果として水浄化製品の耐久性向上に寄与する。
【００１３】
また、製品表面に微生物が住み着きゼリー状となり、それが厚くなって下部の微生物が死に製品表面から、微生物生存層が剥離しても、製品表面に付着又は植設した繊維によって繋ぎ止められ、従来のように微生物による水浄化機能が急激に劣化することが防止される。
【００１４】
即ち、本発明によれば、生息する微生物の量を増加することが出来るばかりでなく、微生物生息層の固定状態を安定化させる効果がある。
【００１５】
また、多孔性物質として炭化物を用いたり、ポーラスモルタル、ポーラスコンクリート製品とした場合は、微生物・小動物・植物の生育空間を提供するため、生育環境をより向上させることができる。
【００１６】
更に、表面に付着させる繊維を水浄化機能を有する繊維、例えば炭素繊維、吸水率の高い木綿、保水性又は通気性のある合成繊維を用いることにより、微生物・小動物・植物の生育環境が向上する効果がある。
【実施例１】
【００１７】
図１は、粒状とした場合の本発明の実施例の概略斜視図で１は本体、２は本体１の表面に付着又は植設した短繊維である。
【００１８】
本体１は、炭化物として、建築廃材の本質炭化物を、また骨材として砕石を使用し、それぞれ３〜３０ｍｍの粒径のものとし、セメントとしてエコセメントと称される産業廃棄物を原料の一部に使用したものを使用し、飽和吸水状態の木片炭化物を１６重量％、表乾状態の骨材を４２重量％、エコセメントを４２重量％の割合で配合して造粒機の回転ドラムに入れ、回転ドラムを回転させながら、チバ・スペシャルティ・ケミカルズ（株）製凝集剤（マグナフロック３４２）を溶解濃度０．０１％となるように配合した水を少しづつ前記回転ドラム内に入れて造粒したものである（Ｗ／Ｃ比は用途目的に最適のものを選択する）。
【００１９】
造粒した本体１の大きさは、用途によって異なるが、１ｃｍから５ｃｍ程度が製造面や取り扱い面で好ましいが限定されるものではない。
【００２０】
大きく造粒する場合は、大きな骨材を用いるか、硬化させた粒状物（造粒物）を骨材（核）として回転ドラムに入れ、その周りにコーティングするように、炭化物、骨材、セメント、水及び凝集剤から成る混合物を付着させる造粒を繰り返すことによって大きな粒状物を造る。
【００２１】
上記のようにして作った本体１が、まだ完全に硬化せず湿潤状態にある時、長さ５ｍｍから１５ｍｍの木綿繊維をまぶすか散布して押え等で押し付けて付着させるか又は木綿繊維を吹き付けにより植設する。
【実施例２】
【００２２】
図２は、磐状とした場合の本発明の実施例を示すもので、この場合は、実施例１における本体１を骨材として、磐状のポーラスコンクリート製品Ａとし、その表面に実施例１と同様の要領で木綿繊維２を付着又は植設したものである。
【図面の簡単な説明】
【００２３】
【図１】本発明の実施例１の概略斜視図。
【図２】本発明の実施例２の概略斜視図。
【符号の説明】
【００２４】
１    本体
２    繊維
Ａ    ポーラスコンクリート製品
【図１】
2006068697.tif 000003
【図２】
2006068697.tif 000004